(57)【特許請求の範囲】
【請求項１】
ブラシハンドルの先端部が貫通する貫通孔が中心部に設けられ、その貫通孔の周囲に環状の溶着部が設けられると共に、その溶着部から多数本の糸材が外周側へ放射状に延出したディスク型の放射状羽根であって、前記溶着部の一方の表面又は両方の表面に一体的に形成された突起を有することを特徴とする歯ブラシ用放射状羽根。
【請求項２】
前記突起は、円周方向に連続する環状突起である請求項１に記載の歯ブラシ用放射状羽根。
【請求項３】
前記突起は、円周方向に間欠的に設けられた複数の突起群である請求項１に記載の歯ブラシ用放射状羽根。
【請求項４】
環状の溶着部から多数本の糸材が放射状に延出するブラシ部において、糸長の長い糸材と糸長の短い糸材が混在する請求項１に記載の歯ブラシ用放射状羽根。
【請求項５】
環状の溶着部から多数本の糸材が放射状に延出するブラシ部において、直径の大きい糸材と直径の小さい糸材が混在する請求項１に記載の歯ブラシ用放射状羽根。
【請求項６】
請求項１〜５のいずれかに記載の放射状羽根を複数枚重ね合わせてなる円筒形状の放射状ブラシヘッドを、ブラシハンドルの先端部に装備することを特徴とする３６０度型歯ブラシ。
【請求項７】
前記放射状ブラシヘッドは、糸径の大きい硬質の放射状羽根と糸径の小さい軟質の環状羽根とが混在した構成である請求項６に記載の３６０度型歯ブラシ。
【請求項８】
前記放射状ブラシヘッドは、ブラシ部における糸長が長い大径の放射状羽根と、ブラシ部における糸長が短い小径の放射状羽根とが混在した構成である請求項６に記載の３６０度型歯ブラシ。
【発明の詳細な説明】
【技術分野】
【０００１】  本発明は、歯ブラシのブラシヘッドに使用するディスク型の放射状羽根、及びこれをブラシヘッドに使用した円筒型の放射状ヘッドをもつ３６０度型歯ブラシ、並びにその歯ブラシ用放射状羽根を製造するための製造方法及び製造装置に関する。
【背景技術】
【０００２】  歯ブラシの一種として、特許文献１に記載されるような３６０度型歯ブラシが知られている。この歯ブラシは、円筒型の放射状ブラシヘッドをブラシハンドルの先端部に有しており、そのブラシヘッドは、例えば特許文献２に記載された方法により製造することが可能である。【０００３】［特許文献１］特開平９−１６８４２７号公報
［特許文献２］特開２００３−２２００８０号公報【０００４】  特許文献２に記載された方法では、中心部から多数本の糸材が外周側へ放射状に延出したディスク型の放射状羽根が製造され、これをブラシハンドルの先端部に順次重ね合わせて装着することにより円筒型の放射状ブラシヘッドが製造される。特許文献２に記載された放射状羽根の製造方法を図１９〜図２３により説明する。【０００５】  製造装置は、図１９に示すように、加工ベッドｂの上に配置された糸開き治具ｄ、糸押さえｅ、溶着ヘッドｆ及び押し切りポンチｇを具備している。加工ベッドｂは、所定本数の糸材を束ねて形成された糸束ａが貫通する貫通孔を有しており、その下に糸上げチャックｃを装備している。糸開き治具ｄは環状の糸押さえｅの内側に同心状に組み合わされており、糸開き治具ｄ及び糸押さえｅ、溶着ヘッドｆ、並びに押し切りポンチｇは、図示されない駆動機構により、加工ベッドｂの貫通孔の真上に選択的に搬送される。【０００６】  操業では、まず第１ステップとして、加工ベッドｂの貫通孔に下から差し通された糸束ａを、加工ベッドｂの下方に設けられた糸上げチャックｃにより押し上げて、加工ベッドｂの上に所定長露出させる。【０００７】  第２ステップとして、図２０に示すように、糸束ａの露出部分の中心部に、下端面が円錐状に形成された糸開き治具ｄを押し付けることにより、その露出部分を周囲に開く。第３ステップとして、図２１に示すように、糸開き治具ｄの外側に組み合わされた環状の糸押さえｅを下降させて、途中まで開いた糸材を加工ベッドｂの貫通孔周囲に押し付け、糸束ａの露出部分を周囲へ完全に開く。【０００８】  第４ステップとして、図２２に示すように、糸束ａの露出部分を糸押さえｅで放射状に開いたまま、糸開き治具ｄを上昇させて側方へ退避させ、代わりに溶着ヘッドｆを貫通孔の真上へ移動させて下降させ、放射状に開いた糸材の中心部を環状に溶着する。最後に第５ステップとして、図２３に示すように、溶着ヘッドｆを上昇させて側方へ退避させ、代わりに押し切りポンチｇを貫通孔の真上へ移動させて下降させ、環状溶着部の内側を分離除去する。【０００９】  こうしてディスク型の放射状羽根が製造される。製造された放射状羽根は、ブラシハンドルの先端部が貫通する貫通孔を中心部に有すると共に、その貫通孔の周囲に環状の溶着部を有しており、更にその溶着部から外周側へ放射状に延出した多数本の糸材（ブラシ部）を有している。そして、これをブラシハンドルの先端部に複数枚重ね合わせて嵌め込み固定することにより、円筒形状の放射状ブラシヘッドをハンドル先端部に有する３６０度型歯ブラシが製造される。【００１０】  このようにして製造される３６０度型歯ブラシは、ブラシハンドルの周方向において方向性がなく、老人や子供でも非常に扱いやすいという特徴がある。また、歯茎のマッサージや舌苔の除去にも非常に適する。しかしながら、そのような特徴の一方で次のような問題もある。【００１１】  特許文献２に記載された方法で製造された放射状羽根を複数枚重ね合わせて形成されるブラシヘッドにおいては、毛密度が大きすぎ、とりわけ軸方向における毛密度が過大になり、使用感が良くないばかりか、歯茎や口腔内粘��、エナメル質を傷つけるおそれがある。また、放射状羽根が接近し過ぎることにより通気性が悪化し衛生上よくないとか、毛先が歯間に入り難いといった問題がある。【００１２】  これらの問題を解決するために、これまでは小さな環状スペーサを交互に嵌め込みながら放射状羽根を重ね、軸方向における毛密度を意図的に低下させることが行われていた。しかしながら、スペーサを使用することによる部品点数の増大、組立工数の増大によるコスト上昇が非常に大きな問題であった。またスペーサの挿入に伴う異物の混入やスペーサの介在による隙間の増加により、衛生状態が悪化する問題もあった。【００１３】  更に別の問題としては、放射状羽根が完成するまでに複数の工具を使いわけるという煩雑さがある。すなわち、糸開き治具ｄによる糸束ａの押し開き、糸押さえｅによる固定、溶着ヘッドｆによる溶着、押し切りポンチｇによる中心部の除去という、別工具による独立した工程が必要であり、工程数が多い。このため生産性が上がらず、製品価格が非常に高くなるという問題があった。
【発明の開示】
【発明が解決しようとする課題】
【００１４】  本発明の目的は、軸方向における毛密度を簡単に低減でき調整できる歯ブラシ用放射状羽根、及びその放射状羽根の製造方法及び製造装置、並びにその放射状羽根を使用した高機能で経済的な３６０度型歯ブラシを提供することにある。【００１５】  本発明の別の目的は、製造工程数が少なく、歯ブラシ価格の大幅な引き下げが可能な歯ブラシ用放射状羽根の製造方法及び製造装置を提供することにある。
【課題を解決するための手段】
【００１６】  本発明の歯ブラシ用放射状羽根は、ブラシハンドルの先端部が貫通する貫通孔が中心部に設けられ、その貫通孔の周囲に環状の溶着部が設けられると共に、その溶着部から多数本の糸材が外周側へ放射状に延出したディスク型の放射状羽根であり、前記溶着部の一方の表面又は両方の表面に一体的に形成された突起を有している。【００１７】  本発明の歯ブラシ用放射状羽根においては、環状の溶着部の一方の表面又は両方の表面に突起が一体的に形成されていることにより、ブラシハンドルの先端部に重ねて装着したときに放射状のブラシ部間に隙間ができる。これにより、スペーサを使用せずとも軸方向における毛密度が下がり、歯ブラシ機能が向上する。突起の高さを変更することにより隙間の広さを任意に調節できる。【００１８】  前記突起は円周方向に連続する環状突起でもよいし、円周方向に間欠的に配置された複数の突起の集合体でもよい。【００１９】  環状の溶着部から多数本の糸材が放射状に延出するブラシ部においては、糸長の長い糸材と糸長の短い糸材を混在させることができる。また、糸径の大きい糸材と糸径の小さい糸材を混在させることができる。更に両者を組み合わせ、糸径の大きい糸材を長くし、糸径の小さい糸材を短くするようなことも可能である。これらにより、ブラシ剛性や感触、ブラッシング能力等を範囲に調整することができる。【００２０】  本発明の３６０度型歯ブラシは、本発明の放射状羽根を複数枚重ね合わせて構成した円筒形状の放射状ブラシヘッドを、ブラシハンドルの先端部に有するものである。【００２１】  本発明の３６０度歯ブラシにおいては、溶着部表面に突起が一体的に形成された放射状羽根を重ねて円筒形状のブラシヘッドが形成されるため、ブラシヘッドにおける放射状羽根の配列ピッチが広がる。これにより、スペーサを使用せずとも毛密度が下がり、歯ブラシ機能が向上する。【００２２】  前記ブラシヘッドは、直径の大きい糸材を用いた硬質の放射状羽根と直径の小さい糸材を用いた軟質の放射状羽根とが混在する構成とすることができる。また、長い糸材を用いた大径の放射状羽根と短い糸材を用いた少径の放射状羽根とが混在する構成とすることができる。更に両者を組み合わせ、硬質で大径の放射状羽根と軟質で小径の放射状羽根とを混在させることも可能である。これらの構成により、ブラシヘッドの硬さや感触、ブラッシング能力を広範囲に調整できる。また歯間等への毛先の進入を容易ならしめることができる。【００２３】  本発明の歯ブラシ用放射状羽根の製造方法は、多数本の糸材を束ねてなる糸束を加工ベッドの裏面側から表面側へ貫通させて加工ベッド上に所定長露出させる供給工程と、糸束の露出部分を前記加工ベッドの表面上で周囲へ放射状に開く開放工程と、放射状に開いた糸束の中心部を環状に溶着する溶着工程と、環状溶着部の内側を除去する除去工程とを包含しており、前記溶着工程において、放射状に開いた糸束の中心部を溶着する際に、その溶着部の表面に突起を同時形成するものである。【００２４】  本発明の歯ブラシ用放射状羽根の製造方法においては、加工ベッド上へ露出し放射状に開いた糸束の中心部を環状に溶着すると同時に、その溶着部の表面に突起を同時形成するので、溶着部に突起をもつ放射状羽根を能率よく経済的に製造することができる。【００２５】  また、本発明の別の歯ブラシ用放射状羽根の製造方法は、多数本の糸材を束ねてなる糸束を加工ベッドの裏面側から表面側へ貫通させて加工ベッド上に所定長露出させる供給工程と、糸束の露出部分を前記加工ベッドの表面上で周囲へ放射状に開く開放工程と、放射状に開いた糸束の中心部を、ポンチを兼ねる筒状の溶着ヘッドにより加工ベッド上に押し付けて環状に溶着すると同時に、環状溶着部の内側を除去する溶着除去工程とを包含している。【００２６】  本発明の別の歯ブラシ用放射状羽根の製造方法においては、加工ベッド上に露出し放射状に開いた糸束の中心部を、ポンチを兼ねる筒状の溶着ヘッドにより環状に溶着すると同時に、その溶着部の内側を除去し、溶着と除去を１工具・１工程で行う。このため、前記放射状羽根が少ない工程数で能率的、経済的に製造される。【００２７】  前記加工ベッドの貫通孔周囲に、前記溶着ヘッドの内周縁部と共同して環状溶着部の内側を切除する環状刃部を設けておけば、溶着部内側の除去をより確実に且つスムーズに行うことができる。【００２８】  また、前記加工ベッドの貫通孔周囲に、溶着時に溶融材料が流入する環状の凹部又は周方向に間欠的に配置された複数の凹部を設けておけば、放射状に開いた糸束の中心部を環状に溶着する際に、その溶着部の表面に突起を同時形成することができる。【００２９】  本発明の歯ブラシ用放射状羽根の製造装置は、多数本の糸材を束ねて形成され、加工ベッドの裏面側から表面側へ貫通させた糸束を、加工ベッド上に所定長露出させる供給手段と、糸束の露出部分を前記加工ベッドの表面上で周囲へ放射状に開く開放手段と、放射状に開いた糸束の中心部を環状に溶着する溶着手段と、環状溶着部の内側を除去する除去手段とを具備しており、前記加工ベッドの貫通孔周囲に、溶着時に溶融材料が流入するように環状に形成された凹部又は周方向に間欠的に配置された複数の凹部を有している。【００３０】  本発明の歯ブラシ用放射状羽根の製造装置においては、加工ベッドの貫通孔周囲に、溶着時に溶融材料が流入するように環状の凹部又は周方向に間欠的に配置された複数の凹部が設けられているので、放射状に開いた糸束の中心部を環状に溶着すると同時に、その溶着部の表面に突起を形成することができる。【００３１】  本発明の別の歯ブラシ用放射状羽根の製造装置は、多数本の糸材を束ねてなる糸束を加工ベッドの裏面側から表面側へ貫通させ加工ベッド上に所定長露出させる供給手段と、糸束の露出部分を前記加工ベッドの表面上で周囲へ放射状に開く開放手段と、放射状に開いた糸束の中心部を、ポンチを兼ねる筒状の溶着ヘッドにより加工ベッド上に押し付けて環状に溶着すると同時に、環状溶着部の内側を除去する溶着除去手段とを具備している。【００３２】  本発明の別の歯ブラシ用放射状羽根の製造装置においては、ポンチを兼ねる筒状の溶着ヘッドにより環状溶着と溶着部内側の除去とが１工具・１工程で同時的に行われるので、前記放射状羽根が少ない工程数で能率的、経済的に製造される。【００３３】  ここで、溶着ヘッドは、気体を吐出する吐出孔を中心部に有すると共に、中心軸方向に昇降可能であり、吐出気体によって周囲へ開放した糸束を加工ベッド上に押し付けて放射状に固定する構成が好ましい。この構成により、溶着ヘッドは開放手段も兼ねることができ、製造工程を一層合理化できる。【００３４】  前記加工ベッドの貫通孔周囲に、前記ポンチと共同して環状溶着部の内側を除去する環状刃部を設けておけば、溶着部内側の除去をより確実に、かつスムーズに行うことができる。【００３５】  前記加工ベッドの貫通孔周囲に、溶着時に溶融材料が流入するように環状の凹部又は周方向に間欠的に配置された複数の凹部を設けておけば、溶着と同時に、その溶着部の表面にスペーサ用の突起を形成することができる。
【発明の効果】
【００３６】  本発明の歯ブラシ用放射状羽根は、放射状に広がる多数本の糸材を結合する環状溶着部の一方の表面又は両方の表面に突起が一体的に形成された構成を採用することにより、ブラシヘッドにおける軸方向の毛密度を低減できる。これにより、歯ブラシの使用感が良くなると共に、歯茎や口腔内粘膜、エナメル質を傷つけるおそれがなくなる。また、通気性が良くなり衛生状態が改善される。更に、毛先が歯間に入りやすくなり、ブラッシング能力も向上する。更に又、スペーサを使用する必要がないので、生産性が高くて経済性に優れ、衛生状態も更に良好となる。【００３７】  本発明の３６０度型歯ブラシは、上記放射状羽根を複数枚重ね合わせてなる円筒形状の放射状ブラシヘッドをブラシハンドルの先端部に有するので、適度な毛密度が確保され、使用感が良好である。また、歯茎や口腔内粘膜、エナメル質を傷つけるおそれがない。更に、ブラシヘッドにおける通気性が良くなり衛生状態が改善される。更に又、毛先が歯間に入りやすくなり、ブラッシング能力も優れる。また、スペーサを使用することなく適切な毛密度を確保するので、生産性が高くて経済性に優れ、衛生面でも優れたものになる。【００３８】  本発明の歯ブラシ用放射状羽根の製造方法は、加工ベッド上へ露出し放射状に開いた糸束の中心部を環状に溶着すると同時に、その溶着部の表面に突起を同時形成するので、溶着部に突起をもつ放射状羽根を能率よく経済的に製造することができる。これにより、高品質な３６０度型歯ブラシを安価に提供できる。【００３９】  本発明の別の歯ブラシ用放射状羽根の製造方法は、加工ベッド上に露出し放射状に開いた糸束の中心部を、ポンチを兼ねる筒状の溶着ヘッドにより環状に溶着すると同時に、その溶着部の内側を除去し、溶着と除去を１工具・１工程で行うので、放射状羽根を少ない工程数で能率的、経済的に製造できる。これにより、３６０度型歯ブラシの製造コストの大幅引き下げを可能にする。【００４０】  本発明の歯ブラシ用放射状羽根の製造装置は、加工ベッドの貫通孔周囲に、溶着時に溶融材料が流入するように環状に形成された凹部又は周方向に間欠的に配置された複数の凹部を有しているので、放射状に開いた糸束の中心部を環状に溶着すると同時に、その溶着部の表面に突起を形成することができ、溶着部に突起を有する放射状羽根を安価に製造できる。これにより、高品質な３６０度型歯ブラシを安価に提供できる。【００４１】  本発明の別の歯ブラシ用放射状羽根の製造装置は、ポンチを兼ねる筒状の溶着ヘッドにより溶着と溶着部内側の除去を１工具・１工程で同時的に行うので、前記放射状羽根を少ない工程数で能率的、経済的に製造でき、３６０度型歯ブラシの製造コストの大幅な低減を可能にする。
【発明を実施するための最良の形態】
【００４２】  以下に本発明の実施形態を図面に基づいて説明する。図１は本発明の一実施形態を示す３６０度型歯ブラシの外観図、図２は同３６０度型歯ブラシに使用されている放射状羽根の正面図及びＡ−Ａ断面図、図３〜図５は同放射状羽根の製造方法及び製造装置の説明図、図６〜図８は同放射状羽根を用いて３６０度型歯ブラシを製造する方法の説明図である。【００４３】  本実施形態においては、３６０度型歯ブラシは、図１に示すように、ブラシハンドル１４の先端部に円筒形状のブラシヘッドを有している。円筒形状のブラシヘッドは、歯ブラシに使用されるナイロン樹脂系の糸材を加工して形成されたディスク型の放射状羽根１を、中心軸方向に所定枚数重ね合わせることにより構成されている。【００４４】  放射状羽根１は、図２に示すように、ブラシハンドル１４の先端部が貫通する貫通孔を中心部に有している。貫通孔の周囲には環状の盤体からなる溶着部２が設けられており、溶着部２からは多数本の糸材が放射状に延出して環状のブラシ部を形成している。そして溶着部２の一方の表面には、断面が半円形状の環状突起３が全周にわたって一体的に形成されている。【００４５】  このような放射状羽根１は次のようにして製造される。製造装置は、図３に示すように、ナイロン樹脂系の糸材４Ａを束ねて構成された糸束４から放射状羽根１を製造する。この製造のために、加工ベッド６と、その上に設けられた円筒状の溶着ヘッド５とを備えている。加工ベッド６は、糸束４が通過する貫通孔を有しており、その下に糸束４を押し上げる押し上げチャック７，８を装備している。【００４６】  加工ベッド６の表面には、環状刃部６Ｂが貫通孔に接して設けられている。環状刃部６Ｂは外周側から内周側へ向かって高くなり、内周面は貫通孔の内周面に連続している。環状刃部６Ｂの外周側には環状凹部６Ｃが環状刃部６Ｂに接して設けられている。環状凹部６Ｃは、放射状羽根１の環状突起３を形成するためのものであり、当該環状突起３の断面形状に対応する半円形状の断面形状を有している。環状凹部６Ｃの更に外周側には、若干の隙間をあけて別の環状凹部６Ａが設けられている。この環状凹部６Ａは、放射状羽根１の外径を揃えるための切断に使用される。【００４７】  円筒状の溶着ヘッド５は、加工ベッド６の貫通孔上に同心状に配置されており、図示されない駆動機構により昇降駆動される。この溶着ヘッド５は超音波振動による溶着を行う溶着ホーンであり、図示されない振動子により駆動される。溶着ヘッド５の中心部に設けられた貫通孔は空気孔５Ａであり、糸束４を周囲へ開くのに使用される。溶着ヘッド５の先端部は熱切断ポンチを兼ねており、内周縁部５Ｂが加工ベッド６の刃部６Ｂと組み合わさって刃物を形成するように、空気孔５Ａは拡大されている。溶着ヘッド５の環状の先端面５Ｃは溶着面である。【００４８】  操業では、加工ベッド６の貫通孔に糸束４が下側（裏面側）から上側（表面側）へ差し通され、加工ベッド６の下に設けられた押し上げチャック７による押し上げで、加工ベッド６の上に所定量露出する。露出量は放射状羽根１の半径より大きく設定されている。糸束４が加工ベッド６の上に所定量露出されると、溶着ヘッド５は空気を下方へ吹き���し且つ振動しながら下降する。溶着ヘッド５からの吹き出し空気は下方の糸束４の露出部分の中心部に衝突する。これにより、糸束４の露出部分は周囲へ均等に開く。この状態で溶着ヘッド５が下降を続け、周囲へ開いた糸束４を加工ベッド６に押し付ける。これにより、糸束４の露出部分は周囲へ完全に開き放射状になる。溶着ヘッド５の振動は糸束４の露出部分を周囲へ均等かつスムーズに開放するのに寄与する。【００４９】  溶着ヘッド５による糸束４の開放が終わると、図４に示すように，その開いた糸束４が環状の糸押さえ９により固定される。糸押さえ９は、加工ベッド６の上方に溶着ヘッド５を取り囲むように同心配置されており、溶着ヘッド５とは独立に昇降駆動される。糸押さえ９の下面は、糸束４を美しく開かせるためにテフロン（登録商標）のコーティング面９Ａとされ、摩擦係数を軽減されている。糸押さえ９の外周側には環状の切断刃１０が取付けられている。切断刃１０は、加工ベッド６の表面に設けられた環状凹部６Ａに対応している。したがって、糸押さえ９の下降により、糸束４が放射状に固定されると同時に、切断刃１０により、その放射状の糸束４が所定外径に切断される。【００５０】  放射状に開いた糸束４の外径切断と並行して、溶着ヘッド５が放射状に開いた糸束４の中心部を加圧し、先端の環状の溶着面５Ｃでその中心部を環状に溶着する。溶着を行いながら、溶着ヘッド５の内周縁部５Ｂが加工ベッド６の刃部６Ｂに向かって押圧されることにより、溶着部２の内側が環状に熱切断され、その内側が除去される。ここで糸材はナイロン樹脂を主成分としている。このため、溶着と同時に溶融材料の一部が加工ベッド６の表面に設けられた凹部６Ｃに流入し、溶着部２の一方の表面に断面が半円形状の環状突起３が一体的に形成される。【００５１】  本実施形態においては、このようにして糸束４から放射状羽根１が定位置で迅速に製造される。具体的には、毛束４の開放、固定、外径切断、中心部の環状溶着、溶着部内側の切除が定位置で連続的に行われ、特に糸束４の開放、中心部の環状溶着、溶着部内側の除去は、溶着ヘッド５により同時的に行われる。したがって、毛束４から放射状羽根１が特に高能率に製造される。【００５２】  加工ベッド６上で製造された放射状羽根１は、溶着部２の内側が除去されることにより毛束４から分離される。残った毛束４の先端部は溶着により余剰に固着している。溶着ヘッド５及び糸押さえ９が元の位置へ上昇すると、図５に示すように、別の糸上げチャック８により、糸束４が例えば２ｍｍほど押し上げられ、先端の余剰溶着部１２が水平方向のカッター１１により除去される。これにより、糸束４の先端部がさばかれ、次の放射状羽根の製造に備える。切断された余剰溶着部１２は、側方に設けられたエアブロー１３により吸引される。溶着ヘッド５及び糸押さえ９が元の位置へ上昇すると、製造された放射状羽根１も解放され、前記エアブロー１３により吸引される。【００５３】  これを繰り返すことにより、毛束４から放射状羽根１が高能率に連続製造される。製造された放射状羽根１は次のようにして３６０度歯ブラシに組立られる。【００５４】  まず図６に示すように、ブラシハンドル１４をその先端部を下にし���垂直に支持する。そして、ブラシハンドル１４の先端部に形成された小径の羽根支持部に、製造された放射状羽根１を下方から所定数順番に嵌め込んでいく。このとき、放射状羽根１は環状溶着部２に形成された環状突起３が下を向く姿勢に保持される。この差し込みは手作業又は図示されない自動機により行われる。差し込まれた放射状羽根１が途中で抜けないように、前記羽根支持部の先端部分３ｍｍ程度が直径で０．１ｍｍほど太く加工されている。【００５５】  ブラシハンドル１４の先端部に所定枚数の放射状羽根１が差し込まれると、ブラシハンドル１４がコンベアで次工程へ送られる。この工程では図７に示すように、溶着機１５の上にブラシハンドル１４が下向きにセットされ、溶着機１５がエアシリンダーにより上昇してブラシハンドル１４の先端面に押し付けられることにより、その先端面近傍が太く加工される。かくして、ブラシハンドル１４の先端部に所定枚数の放射状羽根１が固定され、円筒形状のブラシヘッドが形成される。溶着時間はタイマーセットとし、加圧速度、加圧力、加熱温度は室温等も考えて合わせ適当に設定される。【００５６】  放射状羽根１の取付けが完了すると、ブラシハンドル１４はコンベアにより更に次の工程へ送られる。この工程では図８に示すように、完成したブラシヘッドの外周面を毛先丸加工機１６により加工する。先丸加工機１６は、４００番前後のサンドペーパーの表面の対角線方向に幅１０ｍｍほどの６００番サンドペーパーを接着したものをドラム表面に固定し、そのドラムを駆動モータ１７で回転させる構成になっている。そして、この回転する加工機１６の表面にブラシヘッドの外周面を接触させ、この状態でブラシヘッドを回転させながら軸方向へ移動させる。これにより、ブラシヘッドにおける各毛先が丸く加工される。ペーパー部分のテンションは糸材の材質や直径等を考慮して適当に調整される。【００５７】  本実施形態においては、以上の工程を経て３６０度型歯ブラシが完成する。完成した３６０度型歯ブラシの特徴は次のとおりである。【００５８】  放射状羽根１のディスク状溶着部２の一方の表面にボス状の環状突起３が一体的に形成されている。このため、隣接する羽根間にスペーサを介在させずとも、放射状羽根１を同じ方向に向けて積み重ねるだけで、隣接する放射状羽根１のブラシ部間に所定の隙間が確保される。このため、円筒形状のブラシヘッドにおいては、軸方向における毛密度を適正範囲まで低減させることができる。これにより使用感が良くなる上に、歯茎や口腔内粘膜、エナメル質を傷つけるおそれがなくなる。また通気性が良くなり、衛生状態が改善される。更に、毛先が歯間に入りやすくなるとか、最終臼歯に届きやすくなるといった利点も生じる。【００５９】  また、前記環状突起３は溶着部２の形成と同時に形成され、形成に余分なコストを要しない。したがって、これが製品コストを高める原因にはならない。【００６０】  環状突起３からなるボス部の高さは０．１〜０．４ｍｍが好ましい。これが低すぎるとブラシヘッドの軸方向における毛密度が十分に低下しない。逆に高すぎる場合は毛密度が過疎になりすぎ、実用上の支障が生じる。また、このボス部は溶着部からの樹脂流入により形成さ���る。余り高いボス部は樹脂量の確保の点から形成が困難である。【００６１】  円筒形状のブラシヘッドの組立においては、スペーサを使用する必要がないために、部品点数の増加が避けられ、且つ製造工程が大幅に合理化される。これらのため製造コストの大幅引き下げが可能になる。また、異物の混入が避けられ、衛生状態が更に改善される。放射状羽根１とスペーサを交互に通す作業は非常に非能率であり、時間的ロスが膨大であった。放射状羽根１のみの差し込みにより、組立時間が半減し、大量生産、製品価格の大幅ダウンが実現する。【００６２】  放射状羽根１の製造においては、糸束４の供給から放射形状への開放、固定、中心部の溶着、溶着部内側の除去、更には毛束４の余剰溶着部１２の除去までを定位置で連続的に行う。特に糸束４の開放、中心部の溶着、及び溶着部内側の除去を溶着ヘッド５により一工具・一工程で行う。このため放射状羽根１の生産性に優れると共に、製造装置も安価となり、放射状羽根１の製造コストを大幅に引き下げることが可能となる。【００６３】  以上により高品質な３６０度型歯ブラシが経済的に製造され、市場に低価格で提供されることになる。【００６４】  図９は放射状羽根の別の例を示す断面図である。【００６５】  この放射状羽根１においては、環状の溶着部２の両方の表面に環状突起３，３が設けられている。溶着部２の両面に環状突起３，３を設ける方法としては、加工ベッド６の表面に形成された環状凹部６Ｃに対応する環状凹部を、溶着ヘッド５の環状の先端溶着面５Ｃにも形成すればよい。これにより、溶着部２の形成と同時に、その両面に環状突起３，３を形成することができる。【００６６】  この放射状羽根１を重ねて形成した円筒形状のブラシヘッドにおいては、隣接する放射状羽根１，１の間で対向する環状突起３，３が重なり、スペーサが形成されることにより、軸方向における毛密度が低下する。この場合の環状突起３の高さは、環状突起３を片面に設ける場合の１／２とすればよい。【００６７】  図１０は放射状羽根の別の例を示す正面図である。【００６８】  この放射状羽根１においては、長い糸材と短い糸材が混在している。より具体的には、環状の溶着部２から外周側へ放射状に延びる多数本の糸材４０が、長い糸材４１と短い糸材４２とを組み合わせた構造になっている。溶着部２の表面には、他の放射状羽根１と同様に、環状突起３からなるボス部が形成されている。【００６９】  このような放射状羽根１は、例えば次のようにして製造することができる。加工ベッド６の上で放射状羽根１を製造する際、加工ベッド６の上に糸束４を所定長の露出させるが、このとき約半分の糸材については加工ベッド６から長く露出させ、残りについては加工ベッド６から短く露出させる。そして、両者をランダムに混ぜた糸束４に対して加工を行う。これにより、多数本の糸材が放射状に広がるブラシ部において長さの違う糸材が混在した放射状羽根１が製造される。【００７０】  このような放射状羽根１によりブラシヘッドを形成すると、その３６０度型歯ブラシは、歯間や最終臼歯の裏側などに特に毛先がよく行き届くものになる。【００７１】  図１１は放射状羽根の更に別の例を示す正面図である。【００７２】  この放���状羽根１においては、太くて長い糸材と細くて短かい糸材が混在している。より具体的には、環状の溶着部２から外周側へ放射状に延びる多数本の糸材４０が、太くて長い糸材４３と細くて短い糸材４４とを組み合わせた構造になっている。溶着部２の表面には、他の放射状羽根１と同様に、環状突起３からなるボス部が形成されている。【００７３】  このような放射状羽根１は、例えば次のようにして製造することができる。加工ベッド６の上で放射状羽根１を製造する際、加工ベッド６の上に糸束４を所定長の露出させるが、このとき糸束４として太い糸材と細い糸材を混ぜたものを使用し、太い糸材については加工ベッド６から長く露出させ、細い糸材については加工ベッド６から短く露出させる。そして、両者をランダムに混ぜた糸束４に対して加工を行う。これにより、多数本の糸材が放射に広がるブラシ部において太さ及び長さの違う糸材が混在した放射状羽根１が製造される。【００７４】  このような放射状羽根１によりブラシヘッドを形成すると、その３６０度型歯ブラシは、歯間や最終臼歯の裏側などに特に毛先がよく行き届き、ブラッシング能力に優れると共に、口腔内や歯茎に対しては当たりが柔らかく、優れたマッサージ効果が得られる。なぜなら、歯間や最終臼歯の裏側などに届く長い糸材が硬く、歯茎や口腔に当たる短い糸材が柔らかいからである。また、太い糸材と細い糸材の併用により、口腔内や歯茎の状態に合わせたブラシ硬度に硬度調整が可能である。【００７５】  図１２は３６０度型歯ブラシの別の例を示すブラシ外観図である。【００７６】  この３６０度型歯ブラシは、２種類の放射状羽根１Ａ，１Ｂを組み合わせたブラシヘッドを有している。一方の放射状羽根１Ａは環状の溶着部から周囲へ放射状に広がる糸材が長い大径羽根であり、他方はこの糸材が短い小径羽根である。大径の放射状羽根１Ａと小径の放射状羽根１Ｂとを交互に組み合わせることにより、そのブラシヘッドは長さの違う糸材が混在したものとなり、歯間や最終臼歯の裏側などに毛先がよく行き届くものになる。【００７７】  図１３は３６０度型歯ブラシの更に別の例を示すブラシ外観図である。【００７８】  この３６０度型歯ブラシは、２種類の放射状羽根１Ｃ，１Ｄを組み合わせたブラシヘッドを有している。一方の放射状羽根１Ｃは太い糸材を使用した硬質羽根であり、他方は細い糸材を使用した軟質羽根である。硬質の放射状羽根１Ｃと軟質の放射状羽根１Ｄとを交互に組み合わせることにより、そのブラシヘッドは硬さの違う糸材が混在したものとなり、口腔内や歯茎の状態に合ったブラシ硬度に硬度調整が可能である。例えば歯肉炎、歯周病等により歯茎が弱っている場合はこれに合わせた硬度調節が可能である。【００７９】  図１４は３６０度型歯ブラシの更に別の例を示すブラシ外観図である。【００８０】  この３６０度型歯ブラシは、２種類の放射状羽根１Ｅ，１Ｆを組み合わせたブラシヘッドを有している。一方の放射状羽根１Ｅは太くて長い糸材を使用した大径・硬質羽根であり、他方は細くて短い糸材を使用した小径・軟質羽根である。これらを交互に組み合わせてブラシヘッドを構成することにより、そのブラシヘッドは、歯間や最終臼歯の裏側などに特に毛先がよく行き届き、且つ歯茎や口腔に対してはマッサージ効果が優れるものになる。なぜなら、歯間や最終臼歯の裏側などに届く長い糸材が硬く、歯茎や口腔に当たる短い糸材が柔らかいからである。また、太い糸材と細い糸材の併用により、口腔内や歯茎の状態に合わせたブラシ硬度に硬度調整が可能である。【００８１】  図１５は３６０度型歯ブラシの更に別の例を示すブラシ外観図である。【００８２】  この３６０度型歯ブラシにおいては、放射状羽根１を重ねて構成される円筒形状のブラシヘッドが、基端部から先端部に向かうにつれて外径が漸減するテーパー形状に形成されている。このようなブラシヘッドは、最終の外面カットの段階で形成可能である。そして最後臼歯まで正確にブラッシングでき、糸材の直径を太くすればペット用としても有効である。【００８３】  ここで、本発明の放射状羽根における糸材の太さ及び羽根径について説明する。一般の歯ブラシに使用されている糸材の太さは通常０．１５〜０．２ｍｍである。これに対し、本発明の３６０度型歯ブラシでは、ブラシヘッドの一方の側面で歯をブラッシングするとき、他方の側面で口腔粘膜がこすられる。このため、一般の歯ブラシに使用されている糸材より細い０．０８〜０．１４ｍｍ径の糸材が、本発明の放射状羽根における糸材としては好ましい。更に具体的に言うならば、普通の硬さのブラシとしては０．１１〜０．１４ｍｍ径の糸材が適当であり、歯茎や口腔にやさしい柔らかめのブラシとしては０．０８〜０．１０ｍｍ径の糸材が適当である。前述した太い糸材は前者であり、細い糸材は後者である。【００８４】  羽根径については、一般の歯ブラシのヘッド部の太さと同じ１５〜１８ｍｍが使用感、ブラッシング性などの点から適当である。ブラシ部における糸材が長い大径羽根とブラシ部における糸材が短い小径羽根が混在したブラシヘッドの場合は、大径羽根の直径が通常径に相当し、小径羽根の直径はこれの０．８〜０．９５倍が適当である。ここにおける径差が小さいと、径差を付与する意味が薄れる。径差が大きすぎる場合は短い糸材が歯茎に当たらなくなる。一つの放射状羽根のブラシ部において長い糸材と短い糸材が混在している場合も、この径差に準じる糸長差が望まれる。【００８５】  図１６〜図１８は３６０度型歯ブラシの自動製造設備を示し、図１６はブラシハンドル供給装置、図１７は放射状羽根の製造・積層装置、図１８は放射状羽根の固定装置をそれぞれ示している。【００８６】  この３６０度型歯ブラシ製造設備は、図１６に示すブラシハンドル供給装置と、図１７に示す放射状羽根の製造・積層装置と、図１８に示す放射状羽根の固定装置とを備えている。【００８７】  ブラシハンドル供給装置（図１６）は供給ロボット２１を有している。供給ロボット２１は、公転中心から偏心した位置に垂直な自転軸２２を有している。自転軸２２は下端部に複数の供給アーム２３を装備している。この供給ロボット２１は、公転運動により複数の供給アーム２３をブラシ供給部２４に移動させ、複数の供給アーム２３により複数のブラシハンドル１４を同時にクランプした後、放射状羽根の製造・積層装置のところに戻り、ここで複数の供給アーム２３を自転させることにより、複数のブラシハンドル１４を複数���の製造・積層装置にそれぞれ渡す。【００８８】  個々の放射状羽根の製造・積層装置（図１７）は、水平な回転テーブル２５を有している。回転テーブル２５はブラケット２６上にセットされ、下方の駆動体２７により回転駆動される。回転テーブル２５の表面には、回転中心を挟んで２つの加工ベッド６，６が取付けられている。２つの加工ベッド６，６は、回転テーブル２５の回転により羽根製造位置と羽根積層位置との間を循環移動する。羽根製造位置には、溶着ヘッド５と昇降チャック２８とが回転テーブル２５を挟んで設けられており、羽根積層位置には、ハンドルクランプ２９が回転テーブル２５の上側に位置して設けられている。ハンドルクランプ２９は、前述したブラシハンドル供給装置から渡されたブラシハンドル１４を、先端部を下にしてチャックし昇降させる。【００８９】  操業では、羽根製造位置で毛束４から放射状羽根１が製造される。製造方法は前述した方法と実質同一であり、昇降チャック２８で毛束４を加工ベッド６の上に所定長露出させた後、溶着ヘッド５が下降して加工ベッド６上でボス付きの放射状羽根１が製造される。羽根製造位置で加工ベッド６上に放射状羽根１が製造されると、回転テーブル２５及び加工ベッド６を貫通している毛束４が、一旦４Ｂに示す下降点まで下方へ引き抜かれる。そして、その加工ベッド６が羽根積層位置に移動するまで回転テーブル２５が回転する。このとき、製造された放射状羽根１は加工ベッド６上に載ったまであり、溶着部２の下面に形成されたボス部（環状突起３）は放射状羽根１の位置決め固定、安定性向上に寄与する。【００９０】  放射状羽根１が羽根積層位置に搬送されると、ハンドルクランプ２９が下がり、これに保持されたブラシハンドル１４の先端部が加工ベッド６上の放射状羽根１に差し込まれる。これが終わると回転テーブル２５が再度回転し、羽根積層位置から羽根製造位置へ加工ベッド６が戻され、羽根製造位置から羽根積層位置へ製造された放射状羽根１が搬送される。これを繰り返すことにより、ブラシハンドル１４に所定枚数の放射状羽根１が嵌め込まれる。【００９１】  羽根製造位置の羽根積層位置でブラシハンドル１４に所定枚数の放射状羽根１が嵌め込まれると、そのブラシハンドル１４は放射状羽根の固定装置（図１８）に渡される。具体的には、固定装置の昇降チャック３０にブラシハンドル１４が渡される。昇降チャック３０は、放射状羽根１の装着を終えたブラシハンドル１４を、先端部を下にして保持し、シリンダ３１により昇降駆動される。シリンダ３１の横には溶着テーブル３２が設けられており、これには溶着機１５が取付けられている。そして、昇降チャック３０の下降により、ブラシハンドル１４の先端面が下方の溶着機１５に押し付けられ、その先端面近傍が太く加工されることにより、ブラシハンドル１４の先端部に所定枚数の放射状羽根１が固定される。【００９２】  この一連の工程を繰り返すことにより、所定枚数の放射状羽根１を重ねた円筒形状のブラシヘッドを先端部にもつ３６０度型歯ブラシが全自動で高能率に製造される。【００９３】  所定枚数の放射状羽根１を重ねて形成された円筒形状のブラシヘッドは、内周面を溶着によりボス化し、一体化することがで���る。このボス型一体化円筒ブラシヘッドをブラシハンドルの先端部に差し込む構成とすれば、ヘッド取り替え型の３６０度型歯ブラシが構成される。【００９４】  糸材に抗菌作用のある砥粒材を練り込み放射状羽根を製造すれば、抗菌歯ブラシが構成される。【００９５】  ボス型一体化円筒ブラシヘッドは非常に高強度である。その引張試験の結果を、通常の植毛型回転ブラシ、ボス付き放射状羽根の各場合と比較して表１に示す。ボス付きの放射状羽根も十分に高強度であるが、ボス型一体化円筒ブラシヘッドはそれよりも更に高強度である。【００９６】
0004000355.tif 000002
0004000355.tif 000003
【図面の簡単な説明】
【００９７】［図１］本発明の一実施形態を示す３６０度型歯ブラシの外観図である。
［図２］同３６０度型歯ブラシに使用されている放射状羽根の正面図及びＡ−Ａ断面図である。
［図３］同放射状羽根の製造方法及び製造装置の説明図で開放工程を示す。
［図４］同放射状羽根の製造方法及び製造装置の説明図で溶着除去工程を示す。
［図５］同放射状羽根の製造方法及び製造装置の説明図で余剰溶着部の除去工程を示す。
［図６］同放射状羽根を用いて３６０度型歯ブラシを製造する方法の説明図で、放射状羽根の嵌め込み工程を示す。
［図７］同放射状羽根を用いて３６０度型歯ブラシを製造する方法の説明図で、嵌め込まれた放射状羽根の固定工程を示す。
［図８］同放射状羽根を用いて３６０度型歯ブラシを製造する方法の説明図で、ブラシヘッドの研磨工程を示す。
［図９］放射状羽根の別の例を示す断面図である。
［図１０］放射状羽根の更に別の例を示す正面図である。
［図１１］放射状羽根の更に別の例を示す正面図である。
［図１２］３６０度型歯ブラシの別の例を示すブラシ外観図である。
［図１３］３６０度型歯ブラシの更に別の例を示すブラシ外観図である。
［図１４］３６０度型歯ブラシの更に別の例を示すブラシ外観図である。
［図１５］３６０度型歯ブラシの更に別の例を示すブラシ外観図である。
［図１６］３６０度型歯ブラシの自動製造設備（ブラシハンドル供給装置）の構成図である。
［図１７］３６０度型歯ブラシの自動製造設備（放射状羽根の製造・積層装置）の構成図である。
［図１８］３６０度型歯ブラシの自動製造設備（放射状羽根の固定装置）の構成図である。
［図１９］従来の放射状羽根の製造装置の説明図である。
［図２０］従来装置による製造方法の説明図で開放工程を示す。
［図２１］従来装置による製造方法の説明図で開放工程を示す。
［図２２］従来装置による製造方法の説明図で溶着工程を示す。
［図２３］従来装置による製造方法の説明図で除去工程を示す。
【図１】
0004000355.tif 000004
【図２】
0004000355.tif 000005
【図３】
0004000355.tif 000006
【図４】
0004000355.tif 000007
【図５】
0004000355.tif 000008
【図６】
0004000355.tif 000009
【図７】
0004000355.tif 000010
【図８】
0004000355.tif 000011
【図９】
0004000355.tif 000012
【図１０】
0004000355.tif 000013
【図１１】
0004000355.tif 000014
【図１２】
0004000355.tif 000015
【図１３】
0004000355.tif 000016
【図１４】
0004000355.tif 000017
【図１５】
0004000355.tif 000018
【図１６】
0004000355.tif 000019
【図１７】
0004000355.tif 000020
【図１８】
0004000355.tif 000021
【図１９】
0004000355.tif 000022
【図２０】
0004000355.tif 000023
【図２１】
0004000355.tif 000024
【図２２】
0004000355.tif 000025
【図２３】
0004000355.tif 000026